(57)【要約】【課題】  投入したパイプなどが跳ね返ることなく、効率よく破砕することができる破砕装置を提供する。【解決手段】  破砕装置１は、コンベア２０を備えている。コンベア２０は、略扇形状に配置された上部圧縮用コンベア２０と下部圧縮用コンベア２５で構成されている。上部圧縮用コンベア２０と下部圧縮用コンベア２５の外周面に突起物２９が設けられる。上部圧縮用コンベア２０と下部圧縮用コンベア２５は、異なる回転速で駆動されている。塩化ビニールパイプ４を、上部圧縮用コンベア２０と下部圧縮用コンベア２５の間に投入すると、塩化ビニールパイプ４を確実に挟み込んで押しつぶす。投入した塩化ビニールパイプ４が跳ね返ることなく効率よく破砕処理を行うことができる。【選択図】      図１
2005161277.tif 000002
【特許請求の範囲】
【請求項１】
略扇形状に配置された一対の圧縮用コンベアと、
前記略扇形状に配置された一対の圧縮用コンベアの少なくともいずれか一方の内側の面を、前記略扇形状の閉じ側方向に進行させる駆動部とを備え、
前記略扇形状の開口側から投入された被破砕物を、前記一対の圧縮用コンベアの内側の面によって押しつぶして破砕し、前記略扇形状の閉じ側から送り出し可能としたことを特徴とする破砕装置。
【請求項２】
前記一対の圧縮用コンベアの外周面には、前記被破砕物を掴む掴み手段が設けられていることを特徴とする請求項１に記載の破砕装置。
【請求項３】
前記一対の圧縮用コンベアは、それぞれの速度または動作が可変であることを特徴とする請求項１または２に記載の破砕装置。
【発明の詳細な説明】
【技術分野】
【０００１】
本発明は、塩化ビニールのパイプなどを破砕する破砕装置および破砕装置における破砕方法に関する。
【背景技術】
【０００２】
従来、塩化ビニールのパイプなどの廃棄処理において、１軸または２軸の破砕装置を用いて塩化ビニールのパイプ等を破砕したり、ハンマークラッシャのように回転カッターをパイプなどにぶつけて破砕するといったことが行われていた。
【発明の開示】
【発明が解決しようとする課題】
【０００３】
しかしながら、このような従来の破砕装置においては、回転カッターをパイプなどにぶつけて破砕するようになっているため、パイプ等を破砕装置に投入する際に、投入したパイプ等が回転カッターにぶつかり跳ね返ってくるといった問題があった。
【０００４】
本発明は、このような問題点に鑑み、投入したパイプ等が跳ね返ることなく、効率よく破砕することができる破砕装置を提供することを目的とする。
【課題を解決するための手段】
【０００５】
本発明は、上記目的を達成するため、略扇形状に配置された一対の圧縮用コンベアと、前記略扇形状に配置された一対の圧縮用コンベアの少なくともいずれか一方の内側の面を、前記略扇形状の閉じ側方向に進行させる駆動部とを備え、前記略扇形状の開口側から投入された被破砕物を、前記一対の圧縮用コンベアの内側の面によって押しつぶして破砕し、前記略扇形状の閉じ側から送り出し可能としたことを特徴とする破砕装置を提供するものである。
以上の構成において、前記一対の圧縮用コンベアの外周面には、前記被破砕物を掴む掴み手段が設けられていることが望ましい。
また、前記一対の圧縮用コンベアは、それぞれの速度または動作が可変であることが望ましい。
なお、前記略扇形状の閉じ側に、前記一対の圧縮用コンベアから送り出された前記被破砕物を細断可能な細断部を備えることが望ましい。
【０００６】
また、前記細断部は、前記一対の圧縮用コンベアから送り出された前記被破砕物を載せるステージと、該ステージ上方に備えられ、前記ステージ上面の被破砕物を押さえ込む押え込み手段と、前記ステージの、前記一対の圧縮用コンベア側と対向する端部に備えられた細断カッターとで構成され、前記ステージの、前記一対の圧縮用コンベア側と対向する端部からはみ出した前記被破砕物を前記カッターで細断することが望ましい。
【０００７】
また、前記押え込み手段の前記ステージ側の面には、該面と対向する前記ステージの上面との間隔が前記細断カッター側よりも前記一対の圧縮用コンベア側が広くなるように、傾斜がつけられていることが望ましい。
【発明の効果】
【０００８】
このように、本発明の破砕装置によれば、略扇形状の閉じ側方向に進行している一対の圧縮用コンベアの内側の面によって被破砕物を挟み込んで破砕するので、被破砕物の投入時に、被破砕物が跳ね返えることがなく、かつ効率よく破砕することができる。
【発明を実施するための最良の形態】
【０００９】
次に、本発明の実施の形態について説明する。
【００１０】
図１は、破砕装置の全体構成を示す図であり、図２は、図１におけるＡ部の拡大図である。
【００１１】
これらの図に示すように、破砕装置１は、塩化ビニールパイプ４を挟み込み押しつぶして破砕する圧縮用コンベア部２と、圧縮用コンベア部２によって破砕された破片をさらに細断する細断部と３を備えている。
【００１２】
圧縮用コンベア部２は、ループ状の上部圧縮用コンベア２０および下部圧縮用コンベア２５とで構成され、この上部圧縮用ンベア２０と下部圧縮用２５の外周面には、塩化ビニールパイプ４を確実に掴み、かつコンベアの進行方向に対して横方向にずれることを防ぐための突起物２９が設けられている。
【００１３】
下部圧縮用コンベア２５は、その内周側において、細断部３側に設けられた駆動支持軸２７と、塩化ビニールパイプ４の投入側（図中左側）に設けられた支持軸２６とによって支持されている。駆動支持軸２７には、下部コンベア用モータ２８が連結され、下部コンベア用モータ２８によって、下部圧縮用コンベア２５の上側（上部圧縮用コンベア２０側）の面が細断部３側に進むように駆動される。
【００１４】
上部圧縮用コンベア２０は、その内周側において、細断部３側に設けられた支持軸２３と、塩化ビニールパイプ４の投入側に設けられた支持軸２１と、支持軸２１と支持軸２３の間に設けられた駆動支持軸２２とによって支持されている。駆動支持軸２２には、上部コンベア用モータ２４が連結されており、上部コンベア用モータ２４によって、上部圧縮用コンベア２０の下側（下部圧縮用コンベア２５側）の面が細断部３側に進む向きに駆動される。
【００１５】
上部圧縮用コンベア２０は、その下側の面が駆動支持軸２２と支持軸２３とによって、下部圧縮用コンベア２５の上側の面に対して第１の傾斜がつくように支持されており、さらに支持軸２１と駆動支持軸２２とによって下部圧縮用コンベア２５の上側の面に対して第２の傾斜がつくように支持されている。
【００１６】
なお、第１の傾斜は、第２の傾斜よりも下部圧縮用コンベア２５の上側の面との開き角が小さくなるように設定されている。
【００１７】
また、上部圧縮用コンベア２０と下部圧縮用コンベア２５は、上部圧縮用コンベア２０の第１の傾斜がつけられた部分と下部圧縮用コンベア２５の上側の面とによって塩化ビニールパイプ４を挟み込み押しつぶして破砕可能な位置関係で配置されている。
【００１８】
これにより、塩化ビニールパイプ４を上部圧縮用コンベア２０と下部圧縮用コンベア２５との間に投入すると、上部圧縮用コンベア２０の第１の傾斜がつけられた部分と下部圧縮用コンベア２５の上側の面とによって塩化ビニールパイプ４が押しつぶされて破砕され、パイプ片４Ａとなって細断部３側に送られる。
【００１９】
また、上部圧縮用コンベア２０と下部圧縮用コンベア２５の回転は、上部コンベア用モータ２４と下部コンベア用モータ２８の回転数でそれぞれの速度または動作が制御されるようになっている。従って、その設定によって、例えば、上部コンベア用モータ２４と下部コンベア用モータ２８の回転数を同じにしたり、異ならせたり、あるいは、断続的に動作させたりすることができる。これにより、例えば、上部圧縮用コンベア２０と下部圧縮用コンベア２５の回転速度差によって、塩化ビニールパイプ４に押しつぶす圧力以外にひねり力を加えることなども可能である。
【００２０】
図２に示すように、細断部３は、下部圧縮用コンベア２５の上側の面と略同一面となるように配置されたステージ３２と、ステージ３２の上方に設けられた押え板３０と、ステージ３２の圧縮用コンベア部２と対向する側の端に設けられた細断カッター３３とより構成される。
【００２１】
また、押え板３０は、２つの押え用バネ３１を介して図示しない支持部材に支持されている。
【００２２】
そして、押え板３０の下面には、押え板３０の下面とステージ３２の上面との間隔が細断カッター３３側よりも圧縮用コンベア部２側が広くなるように、傾斜がつけられている。
【００２３】
細断カッター３３はカッター駆動シリンダ３４を介して図示しない支持部材に支持され、カッター駆動シリンダ３４によって上下運動を行う。
【００２４】
これにより、圧縮用コンベア部２からステージ３２に送り込まれたパイプ片４Ａは、押え用バネ３１によってステージ３２に付勢された押え板３０によって押えられる。
【００２５】
圧縮用コンベア部２側から送り込まれ、ステージ３２の細断カッター３３側の端部からはみ出したパイプ片４Ａは、細断カッター３３によって細断される。
【００２６】
なお、本実施の形態において、上部コンベア用モータ２４および下部コンベア用モータ２８が本発明における駆動部を構成する。
【００２７】
本実施例は以上のように構成され、塩化ビニールパイプ４の投入時に、略扇形状に配置した上部圧縮用コンベア２０と下部圧縮用コンベア２５とによって、塩化ビニールパイプ４を確実に挟み込んで押しつぶすので、投入した塩化ビニールパイプ４が跳ね返ることなく効率よく破砕処理を行うことができる。
【００２８】
また、押しつぶして破砕する方法のため、回転カッター等を用いて切断によって破砕するよりも効率よく破砕することができる。
【００２９】
圧縮用コンベア部２で破砕され送り出されたパイプ片４Ａを細断部３で細断することにより、より処理のしやすい細かなパイプ片を得ることができる。
【００３０】
さらに上部圧縮用コンベア２０と下部圧縮用コンベア２５の回転速度を異なる速度とすることにより、塩化ビニールパイプ４に押しつぶす圧力以外にひねり力を加えることができ、塩化ビニールパイプ４への破壊力をより増すことができる。
【００３１】
また圧縮用コンベア部２から送り出されるパイプ片４Ａを、傾斜のついた押え板３０によって押さえ込むことにより、パイプ片４Ａを押さえ込みつつスムーズに細断カッター３３側へ送り出すことができる。
【００３２】
さらに、破砕装置の構造が簡単であり、コンパクトに構成することができる。
【００３３】
なお、塩化ビニールパイプ４を破砕する圧縮用コンベア部２を覆うカバーを設けることで、破砕時の騒音を抑えることができる。
【００３４】
また、本発明の破砕装置は、図では、水平方向に配置されている（即ち、パイプ片４Ａは、上部圧縮用コンベア２０と下部圧縮用コンベア２５によって図中左側から右側に送り込まれ細断されるようになっている）が、その配置方向はこれに限られるものではなく、上下方向に垂直に、あるいは、いろんな角度を持たせて多方向に傾斜させて配置してもよい。
【００３５】
また、このパイプ片４Ａを細断するのに、上記の実施例では細断カッター３３を用いるようにしているが、これに限られず、例えば、ステージ３２に回転刃を設けておき、これを回転させることによりパイプ片４Ａを細断するようにしてもよい。
【００３６】
また、塩化ビニールパイプ４を確実に掴み、かつコンベアの進行方向に対してずれることを防ぐために、いわゆる掴み手段として、上部圧縮用ンベア２０と下部圧縮用２５の外周面に突起物２９を設けるようにしているが、これは、塩化ビニールパイプ４を確実に掴みかつコンベアの進行方向に対してずれることを防ぐものであれば何でもよく、特に突起物に限定されるものではない。また、その形状および大きさも特に限定されず、どのようなものであってもよい。
【図面の簡単な説明】
【００３７】
【図１】破砕装置の全体構成を示す図である。
【図２】図１におけるＡ部の拡大図である。
【符号の説明】
【００３８】
１    破砕装置
２    圧縮用コンベア部
３    細断部
４    塩化ビニールパイプ
４Ａ    パイプ片
２０    上部圧縮用コンベア
２１、２３、２６、    支持軸
２２、２７    駆動支持軸
２４    上部コンベア用モータ
２５    下部圧縮用コンベア
２８    下部コンベア用モータ
２９    突起物
３０    押え板
３１    押え用バネ
３２    ステージ
３３    細断カッター
３４    カッター駆動シリンダ
【図１】
2005161277.tif 000003
【図２】
2005161277.tif 000004